【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
画像処理装置において、
前記画像処理装置の外部の装置に記憶される外部リソース、または前記画像処理装置が備える記憶手段に記憶される内部リソースを取得して表示手段に表示させるブラウザ手段と、
前記ブラウザ手段が取得したリソースが前記記憶手段に記憶されている内部リソースである場合には、当該内部リソースの前記記憶手段中における格納位置が識別可能な情報を前記表示手段に表示しないよう制御する制御手段とを有することを特徴とする画像処理装置。
【請求項２】
前記制御手段は、前記ブラウザ手段が取得したリソースが前記外部リソースである場合には、当該外部リソースの格納位置が識別可能な情報を前記表示手段に表示するよう制御することを特徴とする請求項１記載の画像処理装置。
【請求項３】
前記表示手段は、所定の表示領域に前記内部リソース或いは前記外部リソースの格納位置が識別可能な情報を表示することを特徴とする請求項１記載の画像処理装置。
【請求項４】
前記リソースの格納位置が識別可能な情報は、ＵＲＬ（Uniform Resource Locator）或いはパス名であることを特徴とする請求項１記載の画像処理装置。
【請求項５】
前記制御手段は、前記ブラウザ手段が取得したリソースが前記記憶手段に記憶されている内部リソースである場合には、当該内部リソースのファイル名を前記所定の表示領域に表示させることを特徴とする請求項３記載の画像処理装置。
【請求項６】
前記制御手段は、前記ブラウザ手段が取得したリソースが前記記憶手段に記憶されている内部リソースである場合には、当該内部リソースの前記記憶手段中における格納位置が識別可能な情報の少なくとも一部を隠蔽した情報を前記所定の表示領域に表示させることを特徴とする請求項３記載の画像処理装置。
【請求項７】
前記ブラウザ手段が取得したリソースに基づく画像と、当該リソースの格納位置が識別可能な情報とを印刷する印刷手段をさらに有し、
前記制御手段は、前記ブラウザ手段が取得したリソースが前記記憶手段に記憶されている内部リソースである場合には、当該内部リソースの前記記憶手段中における格納位置が識別可能な情報を前記印刷手段に印刷させないよう制御することを特徴とする請求項１記載の画像処理装置。
【請求項８】
装置の内部リソースを取得して表示手段に表示させるブラウザ手段と、
前記表示手段による表示が可能な内部リソースを記憶する記憶手段とを有し、
前記内部リソースは、リソースの前記記憶手段中における格納位置を秘匿に管理する第１記憶領域内に記憶される第１リソースと、リソースの前記記憶手段中における格納位置を公開しても良い第２記憶領域に記憶される第２リソースとを含み、
前記ブラウザ手段が前記第１記憶領域内に記憶された第１リソースを前記表示手段に表示させる場合には、当該第１リソースの格納位置が識別可能な情報を前記表示手段に表示しないように制御する制御手段を有することを特徴とする画像処理装置。
【請求項９】
表示手段による表示が可能な内部リソースを記憶する記憶手段を有する画像処理装置の制御方法であって、
前記画像処理装置の外部の装置に記憶される外部リソースまたは前記記憶手段に記憶される内部リソースを取得する取得工程と、
前記取得工程で取得した外部リソースまたは内部リソースを前記表示手段に表示させるとともに、前記取得工程で取得したリソースが前記記憶手段に記憶されている内部リソースである場合には、当該内部リソースの前記記憶手段中における格納位置が識別可能な情報を前記表示手段に表示させないように制御する制御工程とを有することを特徴とする制御方法。
【請求項１０】
記憶手段中における格納位置を秘匿に管理する第１記憶領域内に記憶される第１リソースと、前記記憶手段中における格納位置を公開しても良い第２記憶領域に記憶される第２リソースとを含み、かつ表示手段による表示が可能な内部リソースを記憶する記憶手段を有する画像処理装置の制御方法であって、
前記表示手段に表示させる内部リソースを取得する取得工程と、
前記取得工程で取得した内部リソースを前記表示手段に表示させるとともに、前記取得工程で取得したリソースが前記第１記憶領域内に記憶された第１リソースである場合には、当該第１リソースの格納位置が識別可能な情報を前記表示手段に表示しないように制御する制御工程とを有することを特徴とする制御方法。
【請求項１１】
表示手段による表示が可能な内部リソースを記憶する記憶手段を有する画像処理装置の制御方法をコンピュータに実行させるためのプログラムであって、前記制御方法は、
前記画像処理装置の外部の装置に記憶される外部リソースまたは前記記憶手段に記憶される内部リソースを取得する取得工程と、
前記取得工程で取得した外部リソースまたは内部リソースを前記表示手段に表示させるとともに、前記取得工程で取得したリソースが前記記憶手段に記憶されている内部リソースである場合には、当該内部リソースの前記記憶手段中における格納位置が識別可能な情報を前記表示手段に表示させないように制御する制御工程とを有することを特徴とするプログラム。
【請求項１２】
記憶手段中における格納位置を秘匿に管理する第１記憶領域内に記憶される第１リソースと、前記記憶手段中における格納位置を公開しても良い第２記憶領域に記憶される第２リソースとを含み、かつ表示手段による表示が可能な内部リソースを記憶する記憶手段を有する画像処理装置の制御方法をコンピュータに実行させるためのプログラムであって、前記制御方法は、
前記表示手段に表示させる内部リソースを取得する取得工程と、
前記取得工程で取得した内部リソースを前記表示手段に表示させるとともに、前記取得工程で取得したリソースが、前記第１記憶領域内に記憶された第１リソースである場合には、当該第１リソースの格納位置が識別可能な情報を前記表示手段に表示しないように制御する制御工程とを有することを特徴とするプログラム。
【請求項１３】
請求項１１または１２記載のプログラムを記録したことを特徴とするコンピュータ読み取り可能な記録媒体。
【手続補正２】
【補正対象書類名】明細書
【補正対象項目名】０００２
【補正方法】変更
【補正の内容】
【０００２】
ＷＷＷ（World Wide Web）のコンテンツを閲覧するために、通常、ウェブブラウザが用いられている。ウェブブラウザは、コンテンツとともに、現在表示しているコンテンツのＵＲＬ（Uniform Resource Locator）やファイルのパス（path）名など、リソースの格納位置が識別できる情報をアドレスバーなどの表示領域に表示する。
【手続補正３】
【補正対象書類名】明細書
【補正対象項目名】０００９
【補正方法】変更
【補正の内容】
【０００９】
本発明に係る画像処理装置は、画像処理装置において、前記画像処理装置の外部の装置に記憶される外部リソース、または前記画像処理装置が備える記憶手段に記憶される内部リソースを取得して表示手段に表示させるブラウザ手段と、前記ブラウザ手段が取得したリソースが前記記憶手段に記憶されている内部リソースである場合には、当該内部リソースの前記記憶手段中における格納位置が識別可能な情報を前記表示手段に表示しないよう制御する制御手段とを有することを特徴とする。
本発明に係る画像処理装置は、装置の内部リソースを取得して表示手段に表示させるブラウザ手段と、前記表示手段による表示が可能な内部リソースを記憶する記憶手段とを有し、前記内部リソースは、リソースの前記記憶手段中における格納位置を秘匿に管理する第１記憶領域内に記憶される第１リソースと、リソースの前記記憶手段中における格納位置を公開しても良い第２記憶領域に記憶される第２リソースとを含み、前記ブラウザ手段が前記第１記憶領域内に記憶された第１リソースを前記表示手段に表示させる場合には、当該第１リソースの格納位置が識別可能な情報を前記表示手段に表示しないように制御する制御手段を有することを特徴とする。
本発明に係る画像処理装置の制御方法は、表示手段による表示が可能な内部リソースを記憶する記憶手段を有する画像処理装置の制御方法であって、前記画像処理装置の外部の装置に記憶される外部リソースまたは前記記憶手段に記憶される内部リソースを取得する取得工程と、前記取得工程で取得した外部リソースまたは内部リソースを前記表示手段に表示させるとともに、前記取得工程で取得したリソースが前記記憶手段に記憶されている内部リソースである場合には、当該内部リソースの前記記憶手段中における格納位置が識別可能な情報を前記表示手段に表示させないように制御する制御工程とを有することを特徴とする。
本発明に係る画像処理装置の制御方法は、記憶手段中における格納位置を秘匿に管理する第１記憶領域内に記憶される第１リソースと、前記記憶手段中における格納位置を公開しても良い第２記憶領域に記憶される第２リソースとを含み、かつ表示手段による表示が可能な内部リソースを記憶する記憶手段を有する画像処理装置の制御方法であって、前記表示手段に表示させる内部リソースを取得する取得工程と、前記取得工程で取得した内部リソースを前記表示手段に表示させるとともに、前記取得工程で取得したリソースが前記第１記憶領域内に記憶された第１リソースである場合には、当該第１リソースの格納位置が識別可能な情報を前記表示手段に表示しないように制御する制御工程とを有することを特徴とする。
本発明に係るプログラムは、表示手段による表示が可能な内部リソースを記憶する記憶手段を有する画像処理装置の制御方法をコンピュータに実行させるためのプログラムであって、前記制御方法は、前記画像処理装置の外部の装置に記憶される外部リソースまたは前記記憶手段に記憶される内部リソースを取得する取得工程と、前記取得工程で取得した外部リソースまたは内部リソースを前記表示手段に表示させるとともに、前記取得工程で取得したリソースが前記記憶手段に記憶されている内部リソースである場合には、当該内部リソースの前記記憶手段中における格納位置が識別可能な情報を前記表示手段に表示させないように制御する制御工程とを有することを特徴とする。
本発明に係るプログラムは、記憶手段中における格納位置を秘匿に管理する第１記憶領域内に記憶される第１リソースと、前記記憶手段中における格納位置を公開しても良い第２記憶領域に記憶される第２リソースとを含み、かつ表示手段による表示が可能な内部リソースを記憶する記憶手段を有する画像処理装置の制御方法をコンピュータに実行させるためのプログラムであって、前記制御方法は、前記表示手段に表示させる内部リソースを取得する取得工程と、前記取得工程で取得した内部リソースを前記表示手段に表示させるとともに、前記取得工程で取得したリソースが、前記第１記憶領域内に記憶された第１リソースである場合には、当該第１リソースの格納位置が識別可能な情報を前記表示手段に表示しないように制御する制御工程とを有することを特徴とする。
本発明に係るコンピュータ読み取り可能な記録媒体は、前記プログラムを記録したことを特徴とする。
本発明の上述した目的及びその他の目的、特徴は以下に明細書に基づく詳細な説明及び図面より明らかになるであろう。